(57)【特許請求の範囲】
【請求項１】
先軸に対して後軸を接合した軸筒内に複数本の筆記体を収納して、筆記体と連接したノック操作部材を後軸後端近傍に至り設けた縦溝に突出させ、ノック操作部材を軸先方に摺動させて前方で係止することにより選択的に先軸の先端孔から筆記先端部を突出可能とした複式筆記具に於いて、クリップは後軸に対し先端部が後軸側面から離反する方向に回動するように軸支されており、後軸の軸心部にスプリングで後方に附勢されて前後動可能となる係止ピンが配設されて、クリップの脚部の前端に突出状に設けたカム面が係止ピンに設けた傾斜状のカム面に対接するように成され、筆記体の一本を先軸の先端口から突出させて、そのノック操作部材が後軸に対し前進位置に係止された状態でクリップの先端部を後軸の側面から離反する方向に可動した時に、それと連動して脚部のカム部が係止ピンのカム面を押圧することによりその可動が前進位置に係止されたノック操作部材の係止状態が解除されるように伝達されて筆記先端部が先軸の先端口内に没入可能となり、又、上記筆記体の内、少なくとも一本は先端ボールの回転でより粘度が低下してインキがスムーズに流出する、所謂剪断減粘性を有した水性のインキ等の低粘度インキを充填したボールペン筆記体であることを特徴とする複式筆記具。
【発明の詳細な説明】
【０００１】
【産業上の利用分野】
本発明は、複数の筆記体の筆記先端部を選択的に軸先より突出させるようにした複式筆記具の改良に関する。
【０００２】
【従来の技術】
従来、複数のボールペン筆記体を押出す構造のノック式の複式筆記具が知られており、軸内のノック操作部材に固定された筆記体を、軸内に設けた縦溝に沿って夫々摺動自在として、選択的にひとつの筆記体の先端を軸先端孔から突出させて係合し、夫々が突出することにより他の筆記体の係合を解除してリターンスプリングの作用により軸内に収納させるように構成されている。
【０００３】
又、従来知られる油性ボールペンのインキは高粘度で、筆記の際にボテ、筆記描線のムラ、濃度の薄さ、筆記圧が高い等の問題が存在する。又、従来の油性ボールペンの改良として相対的に低粘度のインキであるが、先端ボールの回転でより粘度が低下してインキがスムーズに流出する、所謂剪断減粘性を有した水性のインキを充填したボールペンが知られている。そのようなボールペンは上向き筆記をした時には先端ボール背面のインキが無くなると、インキのヘッドが直に加わる為に顕著な逆流が生じて手や衣服を汚す危険がある。又、インキの粘度が低く流出量が多いが故に、チップ側を下向きにした場合に先端ボールとチップ抱持部の隙間が生じるとインキが滲みでる（直流）問題が生じる。又更に上向き筆記後やノックや落下等の衝撃後で先端ボール背面のインキが逆流傾向となる為に筆記掠れが起きる問題が存在する。
その為に、通常はインキの後端に筆記時のインキの消耗に追随して移動するが、インキの自重や衝撃に対してインキの逆流を抑制するグリース状のフォロアが設けられる。又、先端ボールがチップのボール抱持部に密接するように先端ボールの背面をスプリングで押圧する手段やチップの後端にボール弁を遊嵌した弁室を設ける手段が用いられている。
又、この種のボールペンは、チップ先端部が服地に接触しているとインキが吸い出されて服地を汚損する問題がある。
【０００４】
【発明が解決しようとする課題】
上記のノック式の複式筆記具は構造が単純なため安価な複式筆記具として利用されている。本発明は単純な構造を維持しつつ、筆記先端部が突出したままポケットに差されても服を汚損する問題が無く、且つ芯の繰出し操作が必要なシャープペンシルや消しゴム繰り出し体を搭載した便利で安価な複式筆記具の提供を可能とすることにある。
【０００５】
【課題を解決するための手段】
本発明は、上記課題を達成するために以下の構成を有する。
請求項１に記載の発明に係る複式筆記具は、先軸に対して後軸を接合した軸筒内に複数本の筆記体を収納して、筆記体と連接したノック操作部材を後軸後端近傍に至り設けた縦溝に突出させ、ノック操作部材を軸先方に摺動させて前方で係止することにより選択的に先軸の先端孔から筆記先端部を突出可能とした複式筆記具に於いて、後軸の後方軸側面に穿設した窓部に脚部を嵌入して後軸に対し適宜回動するように軸支されたクリップと、後軸の軸心部にスプリングで後方に附勢されて前後動可能となる係止ピンが配設されて、クリップの脚部の前端に突出状に設けたカム部が係止ピンに設けた傾斜状のカム面に対接するように成され、筆記体の一本を先軸の先端口から突出させ、そのノック操作部材が後軸に対し前進位置に係止された状態でクリップの先端部を後軸の側面から離反する方向に可動した時に、カム部がカム面を押圧して係止ピンが前進され、係止ピンに設けた係止解除用の段部がノック操作部材の後端部に設けた突起に当接して、ノック操作部材の係止状態を解除して筆記先端部が先軸の先端口内に没入没入可能となり、又、筆記体の内、少なくとも一本は先端ボールの回転でより粘度が低下してインキがスムーズに流出する、所謂剪断減粘性を有した水性のインキ等の低粘度インキを充填したボールペン筆記体となされている。
【０００６】
【実施例】
先ず、図１乃至図５は本発明の実施例を示しており、図１は複式筆記具の外観を示す斜視図である。図２乃至図４に示すように、後軸１の後方側面には、クリップ９を嵌装する短めの窓部３と複数箇所で後端部近傍に至り縦溝２が穿設されて内孔部後方には筒状でその側面にスリット４ａを有した軸部４が形成されている。又、後軸の窓部３と同軸上の前方に孔部１ａが穿設されている。
又、後端面の中心に小孔１９を有した軸部１３と該軸部１３の廻りに縦溝２と対応した複数の孔１４が穿設され、側面に適宜箇所で突部１５と円周リブ状の係止部１６（適宜箇所の突部でも良い）が形成された継ぎ手１２が後軸１の先端孔に固着部２１で止着されている。尚、突部１５は後軸１の先端孔に形成された溝（図示せず）に嵌入して回転止め、且つ縦溝２と孔１４が同軸上に対応するよう設けられている。
【０００７】
一方、先方より小径部２４、中径部４０、大径部３９より成る係止ピン６の大径部３９の側面には溝８が穿設されてその溝の前面に傾斜状のカム面６ａが形成され、大径部３９と中径部４０の接続部に傾斜状の段部７が、中径部４０と小径部２４の接続部に段部３８が形成されて、前記継ぎ手１２の軸部１３の端面と段部３８との間にスプリング１１が附勢された状態に係止ピン６が後軸１の後端から軸部４を挿通して取付けられ、小径部２４の先端が軸部１３の小孔１９に嵌入し、大径部３９が軸部４に位置して軸支されると共に、大径部３９の溝８には上記クリップ９の基部に形成した脚部９ａが窓部３と軸部４のスリット４ａを挿通して嵌入し、脚部９ａの前端に形成された突出状のカム部９ｃが前記カム面６ａに対接した状態でクリップ９が後軸１の窓部３に適宜回動可能に軸支される。
【０００８】
又、クリップ９の先端部内側に設けられた玉部９ｄが後軸１の孔部１ａに没入した状態となる。
この状態から、クリップ９の先端部を後軸１の側面から離反する方向に可動した時に、前記カム部９ｃがカム面６ａを押圧して係止ピン６が前進する。
尚、クリップ９の軸支手段は種々考えられるが、その一手段として脚部９ａの両側面に設けた突状の軸支部９ｂを後軸の窓部３の側壁に設けた溝部３ａに係止している。
【０００９】
又、ノック操作部材２６は板状で後方で外側に膨出した後端部２７と内側に適宜突起２８が形成され、先方に軸部２９とその先端に筆記体の後端部を着脱可能に止着する係止部３０が形成されている。ノック操作部２６は複数個用意されて夫々の係止部３０にはシャープペンシル筆記体３２、ボールペン筆記体３３、消しゴム繰り出し体３４の後端が止着されて夫々後軸１に穿設されたそれぞれの縦溝２に嵌装され、夫々の筆記体は継ぎ手１２のそれぞれの孔１４を貫通してリターンスプリング３１がノック操作部２６の段部４２と継ぎ手１２の後端面との間に附勢されて夫々の筆記体は後軸１の後方に常時引き込まれるよう配設されている。
【００１０】
又、その他の筆記体としては上記消しゴム繰り出し体３４と同等のものに色芯等を繰り出し可能に取付けたものや、他色のボールペン筆記体が取付けられる。又、上記天冠５には太径の消しゴムを備えることも可能である。又、シャープペンシル筆記体は通常の複合筆記具に使用されるシャープペンシル要素と同じ構成を有するものでノックにより芯を繰り出す。又、消しゴム繰り出し体はシャープペンシル筆記体と基本的には同じもので芯針を介在させて消しゴムを繰り出すように構成されている。
【００１１】
又、ボールペン筆記体は、上述した先端ボールの回転でより粘度が低下してインキがスムーズに流出する、所謂剪断減粘性を有した水性のインキ等の低粘度インキを充填したボールペンが適用される。
【００１２】
ところで、上記継ぎ手１２の側面には伸縮自在な弾性体１７が嵌装され、継ぎ手１２には先方に形成した係止部１６と係合して着脱可能ではあるが抜け止め係止する係止部２３を備えた先軸２５が取付けられ、前記弾性体１７は後軸１の先端面と先軸２５の後端面との間に配設される。又、先軸２５の内段４３と継ぎ手１２の先端との間に隙間２２が形成されて、後軸１は先軸２５に対して軸推移する。尚、隙間２２は芯や消しゴムの繰り出しの為のノックストロークに十分な寸法を有している。又、実施例では先軸２５に対して継ぎ手１２を軸推移可能としたが、先軸と継ぎ手を固定して継ぎ手に対して後軸を軸推移可能と構成することも可能である。
【００１３】
【作用】
本発明の構成は以上の通りであり、図３は筆記部の収納状態を示している。本発明の複式筆記具は複数本の筆記体を有するものであるが、図示が複雑となるため一本の筆記体を搭載した状態で他を省略している。先ず図４に示すようにノック操作部材２６の後端部２７をノックして軸先方に摺動させ、後端部２７を後軸１の軸部４先端の端部２０に係合させるとボールペン筆記体３３の筆記先端部が先軸先端口３６から突出する。この状態から図５に示すようにクリップ９の先端部を後軸側面から離反する方向に可動させると、それと連動して脚部のカム部９ｃが係止ピン６のカム面６ａを押圧して前進させ、傾斜状の段部７がノック操作部材２６の突起２８に当接し、後端部２７と軸部４先端の端部２０との係止状態を解除して筆記先端部は軸先端口３６より先軸２５内に没入する。又、他のシャープペンシル筆記体３２や消しゴム繰り出し体３４の場合も同様に作用する。尚、シャープペンシル筆記体３２や消しゴム筆記体３４の筆記先端部を先軸先端孔３６から突出させた場合には先軸２５に対して後軸１を軸推移させることで芯や消しゴム３５を繰り出すことが可能である。
【００１４】
又、筆記先端部が先軸の先端口３６から突出した状態でクリップ９をポケット等に差した場合、上述したように筆記先端部が先端口内に没入するので筆記先端部で服を汚す心配がない。尚、クリップの玉部９ｄが軸筒の孔部１ａに深く没入しているので、例え薄地の服であってもクリップ先端部の離反ストロークは十分確保され、従ってノック操作部材の係止を確実に解除可能とする。
【００１５】
ところで、筆記体の収納本数が少ない場合には突出した筆記先端部を没入させるのに他のノック操作部を軸推移させて相互のノック操作部の干渉により係止状態を解除する方法を行っているが、筆記体の収納本数が多くなるとノック操作部どうしの干渉による係止の解除方法は設計的に困難になる。又、突出した筆記体に対して解除側の筆記体が前進するため筆記体どうしが干渉しあって筆記体の切り替え操作に支障をきたす。本発明ではクリップと連動する係止ピンを設けたことにより筆記体どうしの干渉がないので切り替え操作はスムーズである。
【００１６】
【発明の効果】
本発明の構成及び作用は以上の通りであり、筆記先端部が突出したままポケットに差されても服を汚損する問題が無く、単純な構造で、且つシャープペンシル筆記体、ボールペン筆記体、消しゴム繰り出し体、色芯繰り出し体等の多数の筆記体が選択して使用できる便利な複式筆記具が安価に供給可能となる。
【図面の簡単な説明】
【図１】本発明の実施例である複式筆記具の筆記部の収納状態を示した外観斜視図である。
【図２】本発明の複式筆記具の部品の展開状態を示した斜視図である。
【図３】筆記具の収納状態に於ける要部縦断面図である。
【図４】筆記先端部を先軸の先端口から突出させた状態を示した要部縦断面図である。
【図５】クリップを後軸側面から離反させて、突出した筆記先端部を先軸内に没入させる瞬間を示した要部縦断面図である。
【符号の説明】
１  後軸
１ａ  孔部
２  縦溝
３  窓部
３ａ  溝部
４  軸部
４ａ  スリット
５  天冠
６  係止ピン
６ａ  カム面
７  段部
８  溝
９  クリップ
９ａ  脚部
９ｂ  軸支部
９ｃ  カム部
９ｄ  玉部
１１  スプリング
１２  継ぎ手
１３  軸部
１４  孔
１５  突部
１６  係止部
１７  弾性体
１８  後端孔
１９  小孔
２０  端部
２１  固着部
２２  隙間
２３  係止部
２４  小径部
２５  先軸
２６  ノック操作部材
２７  後端部
２８  突起
２９  軸部
３０  係止部
３１  リターンスプリング
３２  シャープペンシル筆記体
３３  ボールペン筆記体
３４  消しゴム繰り出し体
３５  消しゴム
３６  先端口
３８  段部
３９  大径部
４０  中径部
４２  段部
４３  内段
【図１】
0003893477.tif 000002
【図２】
0003893477.tif 000003
【図３】
0003893477.tif 000004
【図４】
0003893477.tif 000005
【図５】
0003893477.tif 000006